(57)【要約】【課題】ビッグバンの後、電子のラブの質量と陽子のラブの質量ができた。ビッグバンの以前、“電子のラブの質量になるエネルギーの粒子は光子”であるのか。それとも、“光子とは別の、電子のラブの質量になるエネルギーを持つ粒子”、なのか。【解決手段】  宇宙背景放射の軌道エネルギーは公転軌道エネルギーであるのか、自転軌道エネルギーであるのか。この事によって、電子のラブと陽子のラブがいつ、何でできたかが解る。宇宙背景放射の軌道エネルギーは、３．７６９×１０−２６Ｊｍです。電子のラブと陽子のラブの公転軌道エネルギーは、８．６６５×１０−２４Ｊｍです。宇宙背景放射の軌道エネルギーは、電子のラブと陽子のラブの公転軌道エネルギーより小さいので、自転軌道エネルギーです。何の自転軌道エネルギーか。これは、ビッグバンの以前の、“電子のラブの光子”と“陽子のラブの光子”です。この事によって、ビッグバンの以前の、“電子のラブの光子”と“陽子のラブの光子”が存在した事が立証できる。【選択図】図３
2009038962.tif 000002
【特許請求の範囲】
【請求項１】
陽子のラブの質量と電子のラブの質量はどのようにできたか。
私は、２００７年３月２６日に提出した、特願２００７−１１２３８９の「請求項１０」で、（エネルギーから質量に変わるとき、たくさんのエネルギーが使われると考える。
例えば、水蒸気が水になるとき、エネルギーを放散して水になります。
低エネルギーの物になるためには、エネルギーを減少させる必要があります。
それで、エネルギーから質量になるためには、エネルギーを減少させて質量になった。
エネルギーが質量になるために必要なエネルギー＝エネルギーが質量に変換するために必要なエネルギー＝エネルギーが質量になるために消費されるエネルギー
これを「ラブ生成エネルギー」と名づける。
「ラブ生成エネルギー」はラブのエネルギーの１０００倍であると考える。）と記した。
しかし、水蒸気から水になるとき、Ｈ２Ｏの質量は一定です。
それで、質量になるためのエネルギーは必要ないと考えます。
【請求項２】
陽子のラブ、電子のラブはどのようにできたか。
私は、２００６年１２月３０日に提出した、特願２００６−３５７５５０、の「請求項５」で、（質量はエネルギーから生まれた。ビッグバンの以前、存在したのはエネルギーだけであった。それがビッグバンによって、エネルギーは絶対０度の空間に放出した。エネルギーは急に冷えたので、固体になり、質量に変身した。
ビッグバンの以前、存在したのは光子のエネルギーであった。そして、ビッグバンの時、光子のエネルギーは質量に変換した。１Ｊｍの自転軌道エネルギーは２．６６７Ｋｇに変換した。）
と記した。
ビッグバンの以前、存在したエネルギーは、ビッグバンで絶対０度の空間に出て質量に成る時、高エネルギーから低エネルギーになる、と考えると、この反応はエネルギーを放出する反応であり、エネルギーを吸収する反応ではない。
よって、質量になるためのエネルギーは必要ない。
ビッグバンの以前、存在したエネルギーは、ビッグバンで絶対０度の空間に出て質量に成る。この時、必要なことは、ビッグバンの以前存在したどれ位のエネルギーが、ビッグバンで絶対０度の空間に出て、電子のラブの質量になり、陽子のラブの質量になるか決められていることです。このエネルギーを“ビッグバンの以前の電子のラブの粒子のエネルギー”“ビッグバンの以前の陽子のラブの粒子のエネルギー”と名づける。
私は、２００６年１２月３０日に提出した、特願２００６−３５７５５０、の「請求項８」で、
（・もしビッグバンの時、陽子のラブのエネルギーが１Ｊであったとしたならば、陽子のラブの自転軌道は、
陽子のラブの自転軌道エネルギー÷エネルギー＝６．２７２４×１０−２８Ｊｍ÷１Ｊ＝６．２７２４×１０−２８ｍです。
その時できた質量は、１Ｊｍの自転軌道エネルギーは２．６６７Ｋｇに変換するから、
１Ｊ×６．２７２５×１０−２８ｍ÷１Ｊｍ×２．６６７Ｋｇ＝１．６７２８×１０−２７Ｋｇです。
・もしビッグバンの時、陽子のラブのエネルギーが１Ｊであったとしたならば、
電子のラブのエネルギーは、１Ｊ÷１８３６＝５．４４６×１０−４Ｊです。
電子のラブの自転軌道は、
電子のラブの自転軌道エネルギー÷エネルギー＝３．４１６×１０−３１Ｊｍ÷（５．４４６×１０−４Ｊ）＝６．２７２５×１０−２８ｍ
その時できた質量は、１Ｊｍの自転軌道エネルギーは２．６６７Ｋｇに変換するから、
５．４４×１０−４Ｊ×６．２７２５×１０−２８ｍ÷１Ｊｍ×２．６６７Ｋｇ＝９．１１×１０−３１Ｋｇです。
この事によって、ビッグバンの時できた陽子のラブの自転軌道と電子のラブの自転軌道は等しいことが理解できる。）を記した。
この記事は、“ビッグバンの以前の陽子のラブの粒子のエネルギー”を１Ｊであったとするならば、“ビッグバンの以前の陽子のラブの粒子の大きさ”は、６．２７２４×１０−２８ｍである、ということです。
“ビッグバンの以前の電子のラブの粒子エネルギー”を５．４４６×１０−４Ｊであったとするならば、“ビッグバンの以前の電子のラブの粒子の大きさ”は、６．２７２５×１０−２８ｍである、ということです。
・私は、特願２００６−３５７５５０の「請求項１２」で、
（ビッグバンの時、陽子のラブの質量となった自転軌道エネルギーを陽子のラブの光子と名づける。電子のラブの質量となった自転軌道エネルギーを電子のラブの光子と名づける。
ビッグバンの時、陽子のラブの質量となったエネルギーには質量が無かった。質量の無いエネルギーの粒子は光子です。それ故、ビッグバンの時、陽子のラブの質量となったエネルギーは光子です。この光子を陽子のラブの光子と名づける。
ビッグバンの時、電子のラブの質量となったエネルギーには質量が無かった。質量の無いエネルギーの粒子は光子です。それ故、ビッグバンの時、電子のラブの質量となったエネルギーは光子です。この光子を電子のラブの光子と名づける。
ビッグバンの以前、存在したのは、陽子のラブの光子と電子のラブの光子です。
陽子のラブの光子は自転していた。電子のラブの光子は自転していた。
陽子のラブの光子の自転軌道エネルギーが陽子のラブの質量になった。
電子のラブの光子の自転軌道エネルギーが電子のラブの質量に成った。
陽子のラブの光子の自転軌道エネルギー６．２７２４×１０−２８Ｊｍが陽子のラブの質量になった。
電子のラブの光子の自転軌道エネルギー３．４１６×１０−３１Ｊｍが電子のラブの質量になった。
）と記した。
この事から次のことが理解できる。
▲１▼光子は粒子です。
それで、
陽子のラブの光子＝“ビッグバンの以前の陽子のラブの粒子”
電子のラブの光子＝“ビッグバンの以前の電子のラブの粒子”
陽子のラブの光子＝陽子のラブの光子の自転軌道エネルギー＝６．２７２４×１０−２８Ｊｍ＝“ビッグバンの以前の陽子のラブの粒子のエネルギー”×“ビッグバンの以前の陽子のラブの粒子の大きさ”
電子のラブの光子＝電子のラブの光子の自転軌道エネルギー＝３．４１６×１０−３１Ｊｍ＝“ビッグバンの以前の電子のラブの粒子のエネルギー”×“ビッグバンの以前の電子のラブの粒子の大きさ”
即ち、ビッグバンの以前に存在した、陽子のラブの質量になったものは、光子である“陽子のラブの光子”である、“ビッグバンの以前の陽子のラブの粒子のエネルギー”×“ビッグバンの以前の陽子のラブの粒子の大きさ”であると理解できる。
ビッグバンの以前に存在した、電子のラブの質量になったものは、光子である“電子のラブの光子”である“ビッグバンの以前の電子のラブの粒子のエネルギー”×“ビッグバンの以前の電子のラブの粒子の大きさ”であると理解できる。
また次のようにも理解できる
▲２▼陽子のラブの光子≠“ビッグバンの以前の陽子のラブの粒子”
電子のラブの光子≠“ビッグバンの以前の電子のラブの粒子”
“ビッグバンの以前の陽子のラブの粒子のエネルギー”×“ビッグバンの以前の陽子のラブの粒子の大きさ”＝６．２７２４×１０−２８Ｊｍ＝“ビッグバンの以前の陽子のラブの粒子の自転軌道エネルギー”
“ビッグバンの以前の電子のラブの粒子のエネルギー”×“ビッグバンの以前の電子のラブの粒子の大きさ”＝３．４１６×１０−３１ｍ＝“ビッグバンの以前の電子のラブの粒子の自転軌道エネルギー”
即ち、ビッグバンの以前に存在した、陽子のラブの質量になったものは、光子である“陽子のラブの光子”ではなく、“光子とは別の、ビッグバンの以前の陽子のラブの質量になるエネルギーを持つ粒子”であると理解できる。
ビッグバンの以前に存在した、電子のラブの質量になったものは、光子である“電子のラブの光子”ではなく、“光子とは別の、ビッグバンの以前の電子のラブの質量になるエネルギーを持つ粒子”であると理解できる。
はたして、ビッグバンの以前に存在し、ビッグバンの時、エネルギーが質量に変換した粒子は、光子なのか、光子ではない別の粒子なのか。
【請求項３】
宇宙背景放射はいつできたか。宇宙背景放射はビッグバンの以前にできたのかビッグバンの以後できたのか。宇宙背景放射は自転軌道エネルギーなのか、公転軌道エネルギーなのか。
宇宙背景放射の軌道エネルギーは、波長は２×１０−３ｍで、エネルギーは温度が２．７３Ｋです。
軌道は２×１０−３ｍ÷２＝１０−３ｍ  です。
エネルギーは２．７３Ｋ＝２．７３×１．３８０６５×１０−２３Ｊ＝３．７６９×１０−２３Ｊ  です。
宇宙背景放射の軌道エネルギーは、１０−３ｍ×３．７６９×１０−２３Ｊ＝３．７６９×１０−２６Ｊｍ  です。
この宇宙背景放射は、自転軌道エネルギーか。公転軌道エネルギーか。
電子のラブと陽子のラブの公転軌道エネルギーは、８．６６５×１０−２４Ｊｍです。
宇宙背景放射の軌道エネルギーは、３．７６９×１０２６−Ｊｍ  です。
宇宙背景放射の軌道エネルギーは、電子のラブと陽子のラブの公転軌道エネルギーより小さいです。
この事は、宇宙背景放射の軌道エネルギーは、公転軌道エネルギーではなく自転軌道エネルギーである、ということです。
よって、宇宙背景放射は、電子のラブと陽子のラブが公転できない時代にできた。
この時代は、ビッグバンの以前です。
宇宙背景放射は、ビッグバンの以前にできた物です。
【請求項４】
宇宙背景放射はどのようにできたか。“ビッグバンの以前の陽子のラブの光子の自転軌道エネルギー”は何倍に成ったか。“ビッグバンの以前の電子のラブの光子の自転軌道エネルギー”は何倍に成ったか。
宇宙背景放射は自転軌道エネルギーであり、ビッグバンの以前にできた物です。
ビッグバンの以前存在した光子の自転軌道エネルギーは、“陽子のラブの光子”である、陽子のラブの光子の自転軌道エネルギー６．２７２４×１０−２８Ｊｍです。
ビッグバンの以前存在した光子の自転軌道エネルギーは、“電子のラブの光子”である、電子のラブの光子の自転軌道エネルギー３．４１６×１０−３１Ｊｍです。
それで、ビッグバンの以前存在した、これらの自転軌道エネルギーが、現在、宇宙背景放射になっている。
ビッグバンの以前存在した、“陽子のラブの光子”である、“陽子のラブの光子の自転軌道エネルギー６．２７２４×１０−２８Ｊｍ”が、現在、３．７６９×１０−２６Ｊｍ  の宇宙背景放射になっている。
ビッグバンの以前存在した、“電子のラブの光子”である、“電子のラブの光子の自転軌道エネルギー３．４１６×１０−３１Ｊｍ”が、現在、３．７６９×１０−２６Ｊｍ  の宇宙背景放射になっている。
・“陽子のラブの光子”である、“陽子のラブの光子の自転軌道エネルギー６．２７２４×１０−２８Ｊｍ”は、約１３７億年間で何倍になったか。
３．７６９×１０−２６Ｊｍ÷（６．２７２４×１０−２８Ｊｍ）＝６×１０
“陽子のラブの光子”である、“陽子のラブの光子の自転軌道エネルギー６．２７２４×１０−２８Ｊｍ”は、約１３７億年間で６０倍になった。
・“電子のラブの光子”である、“電子のラブの光子の自転軌道エネルギー３．４１６×１０−３１Ｊｍ”は、約１３７億年間で何倍になったか。
３．７６９×１０−２６Ｊｍ÷（３．４１６×１０−３１Ｊｍ）＝１．１×１０５
“電子のラブの光子”である、“電子のラブの光子の自転軌道エネルギー３．４１６×１０−３１Ｊｍ”は、約１３７億年間で１．１×１０５倍になった。
宇宙背景放射は、ビッグバンの以前、“陽子のラブの光子”である、“陽子のラブの光子の自転軌道エネルギー６．２７２４×１０−２８Ｊｍ”が、約１３７億年間で６０倍になった光子です。
宇宙背景放射は、ビッグバンの以前、“電子のラブの光子”である、“電子のラブの光子の自転軌道エネルギー３．４１６×１０−３１Ｊｍ”が、約１３７億年間で１．１×１０５倍になった光子です。
この事によって理解できること。
１．ビッグバンの以前、存在したのは自転する光子であり、宇宙背景放射はその自転軌道エネルギーが約１３７億年間で６０倍から１．１×１０５倍になった光子です。
２．宇宙背景放射は、ビッグバンの以前、“陽子のラブの光子”である、“陽子のラブの光子の自転軌道エネルギー６．２７２４×１０−２８Ｊｍ”が、約１３７億年間で６０倍になった“陽子のラブの光子”です。
３．陽子のラブの光子＝“ビッグバンの以前の陽子のラブの粒子”
陽子のラブの光子の自転軌道エネルギー＝６．２７２４×１０ー２８Ｊｍ＝“ビッグバンの以前の陽子のラブの粒子のエネルギー”×“ビッグバンの以前の陽子のラブの粒子の大きさ”
４．宇宙背景放射は、ビッグバンの以前、“電子のラブの光子”である、“電子のラブの光子の自転軌道エネルギー３．４１６×１０−３１Ｊｍ”が、約１３７億年間で１．１×１０５倍になった“電子のラブの光子”です。
５．電子のラブの光子＝“ビッグバンの以前の電子のラブの粒子”
電子のラブの光子の自転軌道エネルギー＝３．４１６×１０ー３１Ｊｍ＝“ビッグバンの以前の電子のラブの粒子のエネルギー”×“ビッグバンの以前の電子のラブの粒子の大きさ”
６．よって、ビッグバンの以前に存在したた粒子は、光子です。
【請求項５】
宇宙背景放射が語ることは何か。
▲１▼宇宙背景放射は、ビッグバンの以前に存在した“陽子のラブの光子”と“電子のラブの光子”のなごりです。
▲２▼宇宙背景放射の軌道は１０−３ｍです。宇宙背景放射のエネルギーは、３．７６９×１０−２３Ｊです。
・“ビッグバンの以前の陽子のラブの粒子の自転軌道”は何倍に成り、“ビッグバンの以前の陽子のラブの粒子のエネルギー”は何倍になったか。
“ビッグバンの以前の陽子のラブの粒子のエネルギー”が１Ｊであったとしたならば、“ビッグバンの以前の陽子のラブの粒子の自転軌道”は、６．２７２４×１０−２８ｍです。
この自転軌道が、１０−３ｍ÷（６．２７２４×１０−２８ｍ）＝１．５９４×１０２４倍に成った。
そして、“ビッグバンの以前の陽子のラブの粒子のエネルギー”は１Ｊから３．７６９×１０−２３Ｊになったので、エネルギーは、
３．７６９×１０−２３Ｊ÷１Ｊ＝３．７６９×１０−２３倍に成った。
自転軌道×エネルギーは、
１．５９４×１０２４×３．７６９×１０−２３＝６０倍に成った。
・“ビッグバンの以前の電子のラブの粒子の自転軌道”は何倍に成り、“ビッグバンの以前の電子のラブの粒子のエネルギー”は何倍になったか。
“ビッグバンの以前、陽子のラブの粒子のエネルギー”が１Ｊであったとしたならば、“ビッグバンの以前、電子のラブの粒子の自転軌道”は、６．２７２４×１０−２８ｍです。
この自転軌道が、１０−３ｍ÷（６．２７２４×１０−２８ｍ）＝１．５９４×１０２４倍に成った。
そして、“ビッグバンの以前、陽子のラブの粒子のエネルギー”が１Ｊであったとしたならば、“ビッグバンの以前、電子のラブの粒子のエネルギー”は５．４４６×１０−４Ｊです。５．４４６×１０−４Ｊから３．７６９×１０−２３Ｊになったので、エネルギーは、
３．７６９×１０−２３Ｊ÷（５．４４６×１０−４Ｊ）＝６．９２×１０−２０倍に成った。
自転軌道×エネルギーは、
１．５９４×１０２４×６．９２×１０−２０＝１．１×１０５倍に成った。
・現在、陽子のラブの自転軌道と、電子のラブの自転軌道は同じである。陽子のラブの自転軌道は、４．１８×１０−１８ｍです。電子のラブの自転軌道は、４．１８×１０−１８ｍです。
“ビッグバンの以前の陽子のラブの粒子の自転軌道”は何倍に拡大したか。
４．１８×１０−１８ｍ÷（６．２７２４×１０−２８ｍ）＝６．６６４×１０９倍に拡大した。
・“ビッグバンの以前の陽子のラブの粒子の自転軌道”と“ビッグバンの以前の電子のラブの粒子の自転軌道”は宇宙背景放射になり、１．５９４×１０２４倍に成った。“ビッグバンの以前の陽子のラブの粒子の自転軌道”は６．６６４×１０９倍に拡大した。
・宇宙背景放射が１．５９４×１０２４倍に成り、陽子のラブと電子のラブの自転軌道が６．６６４×１０９倍に拡大した理由は何か。
宇宙背景放射にはラブが存在しないので、引力が無い。それで、
１．５９４×１０２４÷（６．６６４×１０９）＝２．３９２×１０１４倍も大きくなった。
陽子のラブと電子のラブには、ラブがあるから拡大は小さい。
・上記の事から何が理解できるか。
▲１▼宇宙に存在する質量の大きさによって、宇宙の拡大速度が決定される。
▲２▼宇宙に存在する質量が大きいほど、宇宙の拡大速度は遅い。
▲３▼ビッグバンの以前に存在した、“ビッグバンの以前の陽子のラブの粒子”と“ビッグバンの以前の電子のラブの粒子”が多いほど、宇宙の拡大速度は遅い。
▲４▼現在存在する銀河の質量＋ダークマターの質量が大きいほど宇宙の拡大速度は遅い。
この事によって理解できること。
１．現在、陽子のラブの自転軌道と、電子のラブの自転軌道は、ビッグバンの以前の自転軌道の６．６６４×１０９倍に拡大した。
２．宇宙背景放射は、１．５９４×１０２４倍に拡大した。
３．宇宙背景放射は、１．５９４×１０２４倍に拡大したのに対し、、陽子のラブの自転軌道と、電子のラブの自転軌道は、ビッグバンの以前の自転軌道の６．６６４×１０９倍に拡大した理由は、その中に、陽子のラブと電子のラブが存在するからです。
４．陽子のラブと電子のラブの存在が、拡大を阻止している。このように考えると、宇宙の質量が宇宙の拡大を阻止していると考える理由が理解できる。
▲１▼宇宙に存在する質量の大きさによって、宇宙の拡大速度が決定される。
▲２▼宇宙に存在する質量が大きいほど、宇宙の拡大速度は遅い。
▲３▼ビッグバンの以前に存在した、“ビッグバンの以前の陽子のラブの粒子”と“ビッグバンの以前の電子のラブの粒子”が多いほど、宇宙の拡大速度は遅い。
▲４▼現在存在する銀河の質量＋ダークマターの質量が大きいほど宇宙の拡大速度は遅い。
【請求項６】
ダークマターはどのように広がっているか。
ビッグバンで電子のラブと陽子のラブはできました。電子のラブと陽子のラブはダークマターになったものとクエーサーになったものがある。
ダークマターになったものはどのように広がったか。
空間が拡大するに従いダークマターの空間に占める密度は小さくなります。
例えば、電子のラブの公転軌道が、１０−１７ｍの場のダークマターの密度を１としますと。
１０−１６ｍの場のダークマターの密度は１０−３です。
１０−１５ｍの場のダークマターの密度は１０−６です。
１０−１４ｍの場のダークマターの密度は１０−９です。
また、エネルギーは、
例えば、電子のラブの公転軌道が、１０−１７ｍの場のダークマターのエネルギーを１としますと。
１０−１６ｍの場のダークマターのエネルギーは１０−１です。
１０−１５ｍの場のダークマターのエネルギーは１０−２です。
１０−１４ｍの場のダークマターのエネルギーは１０−３です。
それで、ダークマターの密度×エネルギーは、
例えば、電子のラブの公転軌道が、１０−１７ｍの場のダークマターの密度×エネルギーは１です。
１０−１６ｍの場のダークマターの密度×エネルギーは１０−４です。
１０−１５ｍの場のダークマターの密度×エネルギーは１０−８です。
１０−１４ｍの場のダークマターの密度×エネルギーは１０−１２です。
このように、ダークマターの密度とエネルギーは減少します。
この事から、銀河や星はダークマターが集まってできるので、時空が拡大するほどできにくくなることが理解できる。
次に、１０−１７ｍの時代のダークマターを１とする場合と、１０−１６ｍの時代のダークマターを１とした場合の様子を示す。
2009038962.tif 000008
2009038962.tif 000009
【請求項７】
ボイドはどのようにできたか。
１０−１７ｍの時代、超ブラックホールの時代、超ブラックホールの素子が集まった。超ブラックホールの素子のエネルギーは大きく、密度は高いので、すばやく、多量に集まった。超ブラックホールの素子は中央に集まり、その周辺には超ブラックホールの素子は存在しない。この部分が拡大し、ボイドになった。
集まった中心からジェットが噴出した。
・このジェットの高さは、何Ｋｍか。
現在は１０−１４ｍの時代です。現在、銀河系の中心のジェットの高さは、９００光年です。
それで、１０−１５ｍの時代は９０００光年、１０−１６ｍの時代は９×１０４光年、１０−１７ｍの時代は９×１０５光年です。
１０−１７ｍの時代、ジェットの高さは、９×１０５光年＝９×１０５×９．４６×１０１２Ｋｍ＝８．５１４×１０１８Ｋｍです。
半径８．５１４×１０１８Ｋｍの球体にジェットは届いた。
１０−１６ｍの時代、この球体の表面にブラックホールの素子は集まった。
集まって、クエーサーを作った。
現在、ボイドになっているのは、超ブラックホールの素子は中央に集まり、その周辺には超ブラックホールの素子が存在しない所です。
現在、この球体の空間は、半径はいくらか。
１０−１７ｍの時代、半径８．５１４×１０１８Ｋｍです。
１０−１６ｍの時代、半径８．５１４×１０１９Ｋｍです。
１０−１５ｍの時代、半径８．５１４×１０２０Ｋｍです。
１０−１４ｍの時代、半径８．５１４×１０２１Ｋｍです。
よって、現在、ボイドは半径８．５１４×１０２１Ｋｍです。
【請求項８】
銀河系の中の球状星団はどのようにできたか。
球状星団の様子から理解できること。
▲１▼球状星団は約１００億歳の年老いた星が多い。これは１０−１６ｍの時代にできたからです。
▲２▼球状星団は太陽より軽い星が多い。これはダークマターの密度が小さい場でできたからです。
▲３▼球状星団は銀河の円盤や腕の中の一員になれなかった。これは銀河の中心から遠く離れたところにできたから。これは円盤ができた後にできたから。
▲４▼球状星団は銀河中心の周りにほぼ球対称に分布する。これはジェットのあたる部分にできたからです。
▲１▼▲２▼▲３▼▲４▼を考慮し、球状星団の生成を次のように考える。
・１０−１６ｍの時代、ジェットの高さはいくらか。
現在、銀河系の中心からジェットが噴出し、その高さは約９００光年です。
それで、１０−１４ｍの時代、ジェットの高さは９００光年、
１０−１５ｍの時代、ジェットの高さは９０００光年、
１０−１６ｍの時代、ジェットの高さは９００００光年です。
球状星団は次のようにできた。
ａ．１０−１６ｍの時代、クエーサーの中央のブラックホールから噴出するジェットにより、ダークマターは活性化し、ダークマターが集められ、円盤の基である降着円盤ができた。
ｂ．ダークマターの密度が小さくなった部分に、ジェットが当たり、ダークマターを活性化し、ダークマターが集まり、小さな星ができた。
高さ９００００光年のジェットが当たって、半径５万光年の銀河系の外側の軌道に存在する小さな星ができた。
ジェットの高さの途中にある密度の小さいダークマターを活性化し、小さな星を作った。
ｃ．小さな星が集まり、球状星団ができた。
ｄ．球状星団は、クエーサーの中心のブラックホールに引かれた。クエーサーの中心に近い球状星団ほど強く引かれた。
【請求項９】
地磁気はどのようにできるのか。
私は、２００７年１１月１９日に提出した、特願２００７−３２５２６３、の「請求項２２」で、
（・磁気帯の軌道の距離はどのように求められるか。
地磁気は地球の半径の１０倍の軌道まで届く。
温度×Ｋ＝磁気帯の軌道の距離
７３２７．３６（℃）×ｘ＝地球の半径×１０＝６．３７８×１０４Ｋｍ
ｘ＝６．３７８×１０４Ｋｍ÷７３２７．３６（℃）＝８．７Ｋｍ
よって、
磁気帯の軌道の距離＝温度×８．７Ｋｍ＝Ａ２×８．７Ｋｍ
磁気帯の軌道の距離は、温度×８．７Ｋｍ＝Ａ２×８．７Ｋｍ  の式で求められる。）と記した。
２００８年２月２日に提出した、特願２００８−５１２１８の「請求項１２」に、
（地球の核やマントルや地殻から１秒間に出る磁気の光子のエネルギーはいくらか。
地球の核でできた電気の光子は熱となり、磁気の光子は１個１個に分離し、地球を出る。
地球を出る軌道は遠赤外線より大きいです。地表から出る軌道と同じ軌道の磁気の光子が出る。
地球の核から出る磁気の光子のエネルギー＝１原子で１秒間にできる引力となる磁気の光子のエネルギー×核の原子数＝１．３６１×１０−３２Ｊ×６×１０２６個×核の質量Ｋｇ＝１．３６１×１０−３２Ｊ×６×１０２６個×１．８７６×１０２４Ｋｇ＝４．０６３×１０２１Ｊ
地球の核から１秒間に出る磁気の光子のエネルギーは、４．０６３×１０２１Ｊです。これが地磁気になる。
地球の核でできる地磁気は１０Ｒの磁気帯です。
地球のマントルから出る磁気の光子のエネルギー＝１原子で１秒間にできる引力となる磁気の光子のエネルギー×マントルの原子数＝１．３６１×１０−３２Ｊ×６×１０２６個×マントルの質量Ｋｇ＝１．３６１×１０−３２Ｊ×６×１０２６個×４．０５６×１０２４Ｋｇ＝３．３１２×１０１９Ｊ
地球のマントルから１秒間に出る磁気の光子のエネルギーは、３．３１２×１０１９Ｊです。これがバン・アレン帯の外帯の磁気になる。
地球の地殻から出る磁気の光子のエネルギー＝１原子で１秒間にできる引力となる磁気の光子のエネルギー×地殻の原子数＝１．３６１×１０−３２Ｊ×６×１０２６個×地殻の質量Ｋｇ＝１．３６１×１０−３２Ｊ×６×１０２６個×０．０４３×１０２４Ｋｇ＝３．５１１×１０１７Ｊ
地球の地殻から１秒間に出る磁気の光子のエネルギーは、３．５１１×１０１７Ｊです。これがバン・アレン帯の内帯の磁気になる。）と記した。
私は、ここで計算間違いをしましたので、訂正します。
地球の核から出る磁気の光子のエネルギー＝１原子で１秒間にできる引力となる磁気の光子のエネルギー×核の原子数＝１．３６１×１０−３２Ｊ×６×１０２６個×核の質量Ｋｇ＝１．３６１×１０−３２Ｊ×６×１０２６個×１．８７６×１０２４Ｋｇ＝１．５３２×１０１９Ｊ
地球の核から１秒間に出る磁気の光子のエネルギーは、１．５３２×１０１９Ｊです。これが地磁気になる。
・ここで、私は、地球のマントルから出る磁気の光子のエネルギー＝１原子で１秒間にできる引力となる磁気の光子のエネルギー×マントルの原子数、としました。
でも、厳密には、磁気の光子や電気の光子を出すのは、原子の数ではありません。元素の数でもありません。最外殻の電子のラブです。対にならない電子のラブです。
この数はいくらなのか解りませんので、とりあえず、その場の原子の数にしました。
・バン・アレン内帯、バン・アレン外帯、１０Ｒの磁気帯において、エネルギーの比はいくらか。
バン・アレン内帯に、１秒間に出る磁気の光子のエネルギー、バン・アレン外帯に、１秒間に出る磁気の光子のエネルギー、１０Ｒの磁気帯に、１秒間に出る磁気の光子のエネルギー＝３．５１１×１０１７Ｊ：３．３１２×１０１９Ｊ：１．５３２×１０１９Ｊ＝３．５：３．３×１０２：１．５×１０２
・磁気体を球体とみなし、球の表面積に磁気の光子が広がるとし、１秒間に出る磁気の光子のエネルギー÷磁気帯の球の表面積、の比はいくらか。
バン・アレン内帯の直径を４０００Ｋｍ、バン・アレン外帯の直径を２００００Ｋｍ、１０Ｒの磁気帯の直径を６．３７８×１０４Ｋｍとする。
球の表面積の比は、
バン・アレン内帯の球の表面積：バン・アレン外帯の球の表面積：１０Ｒの地磁気表面積＝４π（４０００Ｋｍ÷２）２：４π（２００００Ｋｍ÷２）２：４π（６．３７８×１０４Ｋｍ÷２）２＝４：１０２：１０３です。
バン・アレン内帯に１秒間に出る磁気の光子のエネルギー÷磁気帯の球の表面積：バン・アレン外帯に１秒間に出る磁気の光子のエネルギー÷磁気帯の球の表面積：１０Ｒの磁気帯に１秒間に出る磁気の光子のエネルギー÷磁気帯の球の表面積＝３．５１１×１０１７Ｊ÷４π（４０００Ｋｍ÷２）２：３．３１２×１０１９Ｊ÷４π（２００００Ｋｍ÷２）２：１．５３２×１０１９Ｊ÷４π（６．３７８×１０４Ｋｍ÷２）２＝３．５÷４：３．３×１０２÷１０２：１．５×１０２÷１０３＝０．８７５：３．３：０．１５＝８．７５：３３：１．５＝５．８：２２：１
これは、球体の表面積に対する、放出する磁気の光子の密度です。
・磁気体を球体とみなし、球の体積に磁気の光子が広がるとし、１秒間に出る磁気の光子のエネルギー÷磁気体の球の体積、の比はいくらか。
球の体積の比は、
バン・アレン内帯の球の体積：バン・アレン外帯の球の体積：１０Ｒの地磁気の体積＝４π÷３×（４０００Ｋｍ÷２）３：４π÷３×（２００００Ｋｍ÷２）３：４π÷３×（６．３７８×１０４Ｋｍ÷２）３＝８：１０３：３．３×１０４です。
バン・アレン内帯に１秒間に出る磁気の光子のエネルギー÷磁気帯の球の体積：バン・アレン外帯に１秒間に出る磁気の光子のエネルギー÷磁気帯の球の体積：１０Ｒの磁気帯に１秒間に出る磁気の光子のエネルギー÷磁気帯の球の体積＝３．５÷８：３．３×１０２÷１０３：１．５×１０２÷（３．３×１０４）＝４．３：３．３：４．５×１０−２
これは、球体の体積全体に対する放出する、磁気の光子のエネルギー密度です。
・ところが、実際、磁気体は球の体積全体には均等になっておらず、ある部分に集中しています。磁気が集中している球の体積に、磁気の光子が広がるとし、１秒間に出る磁気の光子のエネルギー÷磁気が集中している球の体積、の比はいくらか。
バン・アレン内帯の磁気帯は球体の１／４に集中している。
バン・アレン外帯の磁気帯は球体の１／４に集中している。
１０Ｒの磁気帯は球体の１／１０に集中している。としますと、
磁気が集中している体積の比は、
バン・アレン内帯：バン・アレン外帯：１０Ｒの磁気帯＝８×１／４：１０３×１／４：３．３×１０４×１／１０＝１：１．２５×１０２：１．６５×１０３です。
バン・アレン内帯に１秒間に出る磁気の光子のエネルギー÷磁気帯の球の体積の１／４：バン・アレン外帯に１秒間に出る磁気の光子のエネルギー÷磁気帯の球の体積の１／４：１０Ｒの磁気帯に１秒間に出る磁気の光子のエネルギー÷磁気帯の球の体積の１／１０＝３．５÷１：３．３×１０２÷（１．２５×１０２）：１．５×１０２÷（１．６５×１０３）＝３．５：２．６４：０．０９
これは、磁気が集中していろ体積に対する、放出する磁気の光子のエネルギー密度です。
【請求項１０】
太陽のフレアーを防ぐ１０Ｒの磁気帯はどのようになっているのか。
バン・アレン内帯に１秒間に出る磁気の光子のエネルギー÷磁気帯の球の体積の１／４：バン・アレン外帯に１秒間に出る磁気の光子のエネルギー÷磁気帯の球の体積の１／４：１０Ｒの磁気帯に１秒間に出る磁気の光子のエネルギー÷磁気帯の球の体積の１／１０＝３．５÷１：３．３×１０２÷（１．２５×１０２）：１．５×１０２÷（１．６５×１０３）＝３．５：２．６４：０．０９
１０Ｒの地磁気の密度は、バン・アレン内帯とバン・アレン外帯の磁気の光子のエネルギー密度より小さい。それなのに、どうして、太陽風を防ぐことができるのか。
▲１▼太陽からやってくる高エネルギーの磁気の光子と電気の光子は、１０Ｒの地磁気に付加する。この事によって、１０Ｒの地磁気は高エネルギーになり、量も多くなる。
また、▲２▼太陽からやってくる高エネルギーの陽子のラブと電子のラブは、１０Ｒの地磁気に巻きついて自転し公転する。この事によって、更に、電気の光子と磁気の光子はでき、増加する。
このように、１０Ｒの地磁気は、地球の核が作った磁気の光子だけではなく、太陽からやってきた高エネルギーの磁気の光子や電気の光子がプラスされる。
太陽からやってきた高エネルギーの陽子のラブや電子のラブが地磁気に巻きつき、自転し公転することによってできた、電気の光子や磁気の光子もプラスされるので、大きなエネルギーの電磁気帯になっている。それで、太陽風を防ぐことができる。
【請求項１１】
バン・アレン内帯とバン・アレン外帯の磁気エネルギーが大きくなっているのはどうしてか。
バン・アレン内帯には、太陽からやってきた高エネルギーの陽子のラブが巻きつき、自転し、公転しているので、高エネルギーの磁気の光子と電気の光子ができる。これがバン・アレン内帯の磁気の光子と電気の光子のエネルギーとなっている。それで、バン・アレン内帯のエネルギーは大きい。
バン・アレン外帯には、太陽からやってきた高エネルギーの電子のラブが巻きつき、自転し、公転しているので、高エネルギーの磁気の光子と電気の光子ができる。これがバン・アレン外帯の磁気の光子と電気の光子のエネルギーとなっている。それで、バン・アレン外帯のエネルギーは大きい。
【請求項１２】
バン・アレン内帯とバン・アレン外帯の電磁気のエネルギーがほぼ等しいのはどうしてか。
バン・アレン内帯に１秒間に出る磁気の光子のエネルギー÷磁気帯の球の体積の１／４：バン・アレン外帯に１秒間に出る磁気の光子のエネルギー÷磁気帯の球の体積の１／４：１０Ｒの磁気帯に１秒間に出る磁気の光子のエネルギー÷磁気帯の球の体積の１／１０＝３．５÷１：３．３×１０２÷（１．２５×１０２）：１．５×１０２÷（１．６５×１０３）＝３．５：２．６４：０．０９
磁気が集中している体積に対する放出する磁気の光子のエネルギー密度の比は、バン・アレン内帯：バン・アレン外帯＝３．５：２．６４でほぼ等しい。
陽子のラブが１秒間に作る電気の光子のエネルギーと磁気の光子のエネルギーは、電子のラブが１秒間に作る電気の光子のエネルギーと磁気の光子のエネルギーに等しい。
それで、バン・アレン内帯の電磁気のエネルギーとバン・アレン外帯の電磁気のエネルギーはほぼ等しい。
まとめ。
2009038962.tif 000010
【請求項１３】
強磁性物質にはキューリ温度というものがあって、その温度では磁性を失う。
キューリ温度は普通数百度です。それなのに、地球の核で１０Ｒの磁気帯ができ、マントルでバン・アレン外帯ができる。磁気帯ができる理由は何か。
私は、地磁気を作っているのは、強磁性物質ではないと考えます。
地磁気を作っているのは、全ての元素の最外殻の電子のラブであり、陽子のラブです。
それは、２本の銅線を同じ方向に走る自由電子が引く力を作ることによって証明できる。
電子のラブは、自転し磁気の光子を作り、公転し電気の光子を作る。
陽子のラブは、自転し磁気の光子を作り、公転し電気の光子を作る。
これが、地磁気ができる理由です。
現在、地磁気ができる理由は、ダイナモ説が有力ですが、私は、“素粒子回転説”をとなえます。
“素粒子回転説”とは次の理論です。
地球中、星の中、銀河の中で、
電子のラブは、自転し磁気の光子を作り、公転し電気の光子を作る。
陽子のラブは、自転し磁気の光子を作り、公転し電気の光子を作る。
電気の光子は熱になる。磁気の光子は地球を出て磁気帯になる。
電気の光子は温度に成る。
その時、電気の光子の輪が切れて熱になる。
磁気の光子は独立し、地球を出る。
その場のエネルギーは、温度で、Ａ２になっている。
Ａはその場のエネルギーが地表のエネルギーの何倍であるかを示す。
それで、磁気の届く距離＝Ａ２×８．７Ｋｍである。
【請求項１４】
磁気の届く距離＝Ａ２×８．７Ｋｍであるのはなぜか。
磁気の光子が地球を出る場のエネルギーは、温度＝Ａ２になっている。
この熱を作った電気の光子のエネルギーと同じ磁気の光子のエネルギーが地球を出る。
それで、磁気の光子が届く距離は、出発する場の熱エネルギーに比例し、Ａ２×８．７Ｋｍです。
【請求項１５】
太陽からやってくる電子のラブや陽子のラブは、磁気帯に巻きつき、螺旋状に回転する。この事によって、磁気の光子ができるのか。螺旋状に回転する事によって、どのようなメリットをもたらしているか。
電子のラブが１秒間に作る磁気の光子のエネルギーと電気の光子のエネルギーは一定です。
陽子のラブが１秒間に作る磁気の光子のエネルギーと電気の光子のエネルギーは一定です。
螺旋状に進んでも、まっすぐ進んでも、１秒間に作る磁気の光子のエネルギーと電気の光子のエネルギーは一定です。
よって、太陽からやってくる電子のラブや陽子のラブは、磁気帯に巻きつき、螺旋状に回転する。この事によって、磁気の光子ができるのではない。
地上で、コイルの中を自由電子が走り、外側に磁気の光子ができるのは、コイルの中に電気の光子ができ、電流として走り、それが外に出ないだけで、自由電子が１秒間に作る磁気の光子と電気の光子はどのような形の運動をしても一定です。
電子のラブと陽子のラブが螺旋状に回転する事によって、磁気の光子は磁気帯と平行に進む事ができ、電気の光子は螺旋状に走る。
電子のラブと陽子のラブが螺旋状に回転するのは、磁気の光子を磁気帯と平行に走らせるためです。
磁気帯があるので、磁気帯が電子のラブと陽子のラブを螺旋回転させている。
これを、“磁気帯が電子のラブと陽子のラブを螺旋回転させている”と名づける。
略して、“磁気帯が作る螺旋回転効果”と名づける。
磁気帯は磁気の光子を増加させるために、電子のラブと陽子のラブを螺旋回転させる。
これを応用し、磁気体で、電子のラブや陽子のラブを螺旋回転させる装置を作る事ができる。
【発明の詳細な説明】
【技術分野】
【０００１】  この発明は、陽子と電子の生成、時代におけるダークマターの密度とエネルギー、ボイドの生成、球状星団の生成、地球、星、銀河の磁気帯に関する。
【背景技術】
【０００２】  従来、陽子と電子はビッグバンの時できたと考えられている。地球の中で地磁気ができる理由として、ダイナモ説がある。
【発明の開示】
ビッグバンの後、電子のラブの質量と陽子のラブの質量ができた。
ビッグバンの以前、“電子のラブの質量になるエネルギーの粒子は光子”であるのか。それとも、“光子とは別の、電子のラブの質量になるエネルギーを持つ粒子”、なのか。
もし、“光子とは別の、電子のラブの質量になるエネルギーを持つ粒子”、であるとしたら、ビッグバン後、電子のラブの自転と公転はいつまでも続くので、電気の光子と磁気の光子はいつまでもできる。特別の光子である宇宙背景放射は存在しない。
宇宙背景放射の軌道エネルギーは公転軌道エネルギーであるのか、自転軌道エネルギーであるのか。この事によって、電子のラブと陽子のラブがいつできたか、何でできたかが解る。
【発明が解決しようとする課題】
【０００３】１．陽子のラブの質量と電子のラブの質量はどのようにできたか。
２．陽子のラブ、電子のラブはどのようにできたか。
３．宇宙背景放射はいつできたか。宇宙背景放射はビッグバンの以前にできたのかビッグバンの以後できたのか。宇宙背景放射は自転軌道エネルギーなのか、公転軌道エネルギーなのか。
４．宇宙背景放射はどのようにできたか。“ビッグバンの以前の陽子のラブの光子の自転軌道エネルギー”は何倍に成ったか。“ビッグバンの以前の電子のラブの光子の自転軌道エネルギー”は何倍に成ったか。
５．宇宙背景放射が語ることは何か。
６．ダークマターはどのように広がっているか。
７．ボイドはどのようにできたか。
８．銀河系の中の球状星団はどのようにできたか。
９．地磁気はどのようにできるのか。
１０．太陽のフレアーを防ぐ１０Ｒの磁気帯はどのようになっているのか。
１１．バン・アレン内帯とバン・アレン外帯の磁気エネルギーが大きくなっているのはどうしてか。
１２．バン・アレン内帯とバン・アレン外帯の電磁気のエネルギーがほぼ等しいのはどうしてか。
１３．強磁性物質にはキューリ温度というものがあって、その温度では磁性を失う。キューリ温度は普通数百度です。それなのに、地球の核で１０Ｒの磁気帯ができ、マントルでバン・アレン外帯ができる。磁気帯ができる理由は何か。
１４．磁気の届く距離＝Ａ２×８．７Ｋｍであるのはなぜか。
１５．太陽からやってくる電子のラブや陽子のラブは、磁気帯に巻きつき、螺旋状に回転する。この事によって、磁気の光子ができるのか。螺旋状に回転する事によって、どのようなメリットをもたらしているか。
【発明を解決するための手段】
【０００４】電子のラブと陽子のラブがどうしてできたのか。私は、この問題を、２００６年１２月３０日に提出した特願２００６−３５７５５０で解決した。
それは、陽子のラブの光子の自転軌道エネルギー６．２７２４×１０−２８Ｊｍが陽子のラブの質量になった。
電子のラブの光子の自転軌道エネルギー３．４１６×１０−３１Ｊｍが電子のラブの質量になった。
という事です。
これですと、
▲１▼光子が電子のラブのエネルギーであり、電子のラブは光子からできた、事になります。
光子が陽子のラブのエネルギーであり、陽子のラブは光子からできた、事になります。
また
▲２▼エネルギーが電子のラブの質量になった。エネルギーが陽子のラブの質量になった。と考えます。
“光子とは別の、電子のラブの質量になるエネルギーを持つ粒子”が質量に変化した。
“光子とは別の、陽子のラブの質量になるエネルギーを持つ粒子”が質量に変化した、と考えます。
はたして、▲１▼なのか。▲２▼なのか。
これを、宇宙背景放射から解決する。
宇宙背景放射が自転軌道であるならば、この光子は“電子のラブの光子”のなごりであり、“陽子のラブの光子”のなごりです。
ダークマターは空間が大きくなると密度は減少し、エネルギーは小さくなる。
ボイドは、ダークマターが高エネルギー高密度の時代にできた。ダークマターはすばやく集まり、多量に集まった。ダークマターがあった空間は空に成り、これがボイドになった。
球状星団は、ハローの部分に存在し、円盤や腕の中に存在しないので、ダークマターが集まって、降着円盤ができた後に、ダークマターの密度が小さい場にできた。
地磁気の問題は、私が、２００７年１１月１９日に提出した、特願２００７−３２５２６３と、２００８年２月２日に提出した、特願２００８−５１２１８から考える。
１０Ｒの地磁気が太陽風をストップさせるエネルギーがどのようにできるかを考える。
【発明の実施態様】
【０００５】１．陽子のラブの質量と電子のラブの質量はどのようにできたか。
私は、２００７年３月２６日に提出した、特願２００７−１１２３８９の「請求項１０」で、（エネルギーから質量に変わるとき、たくさんのエネルギーが使われると考える。
例えば、水蒸気が水になるとき、エネルギーを放散して水になります。
低エネルギーの物になるためには、エネルギーを減少させる必要があります。
それで、エネルギーから質量になるためには、エネルギーを減少させて質量になった。
エネルギーが質量になるために必要なエネルギー＝エネルギーが質量に変換するために必要なエネルギー＝エネルギーが質量になるために消費されるエネルギー
これを「ラブ生成エネルギー」と名づける。
「ラブ生成エネルギー」はラブのエネルギーの１０００倍であると考える。）と記した。
しかし、水蒸気から水になるとき、Ｈ２Ｏの質量は一定です。
それで、質量になるためのエネルギーは必要ないと考えます。
２．陽子のラブ、電子のラブはどのようにできたか。
私は、２００６年１２月３０日に提出した、特願２００６−３５７５５０、の「請求項５」で、（質量はエネルギーから生まれた。ビッグバンの以前、存在したのはエネルギーだけであった。それがビッグバンによって、エネルギーは絶対０度の空間に放出した。エネルギーは急に冷えたので、固体になり、質量に変身した。
ビッグバンの以前、存在したのは光子のエネルギーであった。そして、ビッグバンの時、光子のエネルギーは質量に変換した。１Ｊｍの自転軌道エネルギーは２．６６７Ｋｇに変換した。）と記した。
ビッグバンの以前、存在したエネルギーは、ビッグバンで絶対０度の空間に出て質量に成る時、高エネルギーから低エネルギーになる、と考えると、この反応はエネルギーを放出する反応であり、エネルギーを吸収する反応ではない。
よって、質量になるためのエネルギーは必要ない。
ビッグバンの以前、存在したエネルギーは、ビッグバンで絶対０度の空間に出て質量に成る。この時、必要なことは、ビッグバンの以前存在したどれ位のエネルギーが、ビッグバンで絶対０度の空間に出て、電子のラブの質量になり、陽子のラブの質量になるか決められていることです。このエネルギーを“ビッグバンの以前の電子のラブの粒子のエネルギー”“ビッグバンの以前の陽子のラブの粒子のエネルギー”と名づける。
私は、２００６年１２月３０日に提出した、特願２００６−３５７５５０、の「請求項８」で、
（・もしビッグバンの時、陽子のラブのエネルギーが１Ｊであったとしたならば、陽子のラブの自転軌道は、
陽子のラブの自転軌道エネルギー÷エネルギー＝６．２７２４×１０−２８Ｊｍ÷１Ｊ＝６．２７２４×１０−２８ｍです。
その時できた質量は、１Ｊｍの自転軌道エネルギーは２．６６７Ｋｇに変換するから、
１Ｊ×６．２７２５×１０−２８ｍ÷１Ｊｍ×２．６６７Ｋｇ＝１．６７２８×１０−２７Ｋｇです。
・もしビッグバンの時、陽子のラブのエネルギーが１Ｊであったとしたならば、
電子のラブのエネルギーは、１Ｊ÷１８３６＝５．４４６×１０−４Ｊです。
電子のラブの自転軌道は、
電子のラブの自転軌道エネルギー÷エネルギー＝３．４１６×１０−３１Ｊｍ÷（５．４４６×１０−４Ｊ）＝６．２７２５×１０−２８ｍ
その時できた質量は、１Ｊｍの自転軌道エネルギーは２．６６７Ｋｇに変換するから、
５．４４×１０−４Ｊ×６．２７２５×１０−２８ｍ÷１Ｊｍ×２．６６７Ｋｇ＝９．１１×１０−３１Ｋｇです。
この事によって、ビッグバンの時できた陽子のラブの自転軌道と電子のラブの自転軌道は等しいことが理解できる。）と記した。
この記事は、“ビッグバンの以前の陽子のラブの粒子のエネルギー”を１Ｊであったとするならば、“ビッグバンの以前の陽子のラブの粒子の大きさ”は、６．２７２４×１０−２８ｍである、ということです。
“ビッグバンの以前の電子のラブの粒子エネルギー”を５．４４６×１０−４Ｊであったとするならば、“ビッグバンの以前の電子のラブの粒子の大きさ”は、６．２７２５×１０−２８ｍである、ということです。
・私は、特願２００６−３５７５５０の「請求項１２」で、
（ビッグバンの時、陽子のラブの質量となった自転軌道エネルギーを陽子のラブの光子と名づける。電子のラブの質量となった自転軌道エネルギーを電子のラブの光子と名づける。
ビッグバンの時、陽子のラブの質量となったエネルギーには質量が無かった。質量の無いエネルギーの粒子は光子です。それ故、ビッグバンの時、陽子のラブの質量となったエネルギーは光子です。この光子を陽子のラブの光子と名づける。
ビッグバンの時、電子のラブの質量となったエネルギーには質量が無かった。質量の無いエネルギーの粒子は光子です。それ故、ビッグバンの時、電子のラブの質量となったエネルギーは光子です。この光子を電子のラブの光子と名づける。
ビッグバンの以前、存在したのは、陽子のラブの光子と電子のラブの光子です。
陽子のラブの光子は自転していた。電子のラブの光子は自転していた。
陽子のラブの光子の自転軌道エネルギーが陽子のラブの質量になった。
電子のラブの光子の自転軌道エネルギーが電子のラブの質量に成った。
陽子のラブの光子の自転軌道エネルギー６．２７２４×１０−２８Ｊｍが陽子のラブの質量になった。
電子のラブの光子の自転軌道エネルギー３．４１６×１０−３１Ｊｍが電子のラブの質量になった。
）と記した。
この事から次のことが理解できる。
▲１▼光子は粒子です。
それで、
陽子のラブの光子＝“ビッグバンの以前の陽子のラブの粒子”
電子のラブの光子＝“ビッグバンの以前の電子のラブの粒子”
陽子のラブの光子＝陽子のラブの光子の自転軌道エネルギー＝６．２７２４×１０−２８Ｊｍ＝“ビッグバンの以前の陽子のラブの粒子のエネルギー”×“ビッグバンの以前の陽子のラブの粒子の大きさ”
電子のラブの光子＝電子のラブの光子の自転軌道エネルギー＝３．４１６×１０−３１Ｊｍ＝“ビッグバンの以前の電子のラブの粒子のエネルギー”×“ビッグバンの以前の電子のラブの粒子の大きさ”
即ち、ビッグバンの以前に存在した、陽子のラブの質量になったものは、光子である“陽子のラブの光子”である、“ビッグバンの以前の陽子のラブの粒子のエネルギー”×“ビッグバンの以前の陽子のラブの粒子の大きさ”であると理解できる。
ビッグバンの以前に存在した、電子のラブの質量になったものは、光子である“電子のラブの光子”である“ビッグバンの以前の電子のラブの粒子のエネルギー”×“ビッグバンの以前の電子のラブの粒子の大きさ”であると理解できる。
また次のようにも理解できる
▲２▼陽子のラブの光子≠“ビッグバンの以前の陽子のラブの粒子”
電子のラブの光子≠“ビッグバンの以前の電子のラブの粒子”
“ビッグバンの以前の陽子のラブの粒子のエネルギー”×“ビッグバンの以前の陽子のラブの粒子の大きさ”＝６．２７２４×１０−２８Ｊｍ＝“ビッグバンの以前の陽子のラブの粒子の自転軌道エネルギー”
“ビッグバンの以前の電子のラブの粒子のエネルギー”×“ビッグバンの以前の電子のラブの粒子の大きさ”＝３．４１６×１０−３１ｍ＝“ビッグバンの以前の電子のラブの粒子の自転軌道エネルギー”
即ち、ビッグバンの以前に存在した、陽子のラブの質量になったものは、光子である“陽子のラブの光子”ではなく、“光子とは別の、ビッグバンの以前の陽子のラブの質量になるエネルギーを持つ粒子”であると理解できる。
ビッグバンの以前に存在した、電子のラブの質量になったものは、光子である“電子のラブの光子”ではなく、“光子とは別の、ビッグバンの以前の電子のラブの質量になるエネルギーを持つ粒子”であると理解できる。
はたして、ビッグバンの以前に存在し、ビッグバンの時、エネルギーが質量に変換した粒子は、光子なのか、光子ではない別の粒子なのか。
３．宇宙背景放射はいつできたか。宇宙背景放射はビッグバンの以前にできたのかビッグバンの以後できたのか。宇宙背景放射は自転軌道エネルギーなのか、公転軌道エネルギーなのか。
宇宙背景放射の軌道エネルギーは、波長は２×１０−３ｍで、エネルギーは温度が２．７３Ｋです。
軌道は２×１０−３ｍ÷２＝１０−３ｍ  です。
エネルギーは２．７３Ｋ＝２．７３×１．３８０６５×１０−２３Ｊ＝３．７６９×１０−２３Ｊ  です。
宇宙背景放射の軌道エネルギーは、１０−３ｍ×３．７６９×１０−２３Ｊ＝３．７６９×１０−２６Ｊｍ  です。
この宇宙背景放射は、自転軌道エネルギーか。公転軌道エネルギーか。
電子のラブと陽子のラブの公転軌道エネルギーは、８．６６５×１０−２４Ｊｍです。
宇宙背景放射の軌道エネルギーは、３．７６９×１０−２６Ｊｍ  です。
宇宙背景放射の軌道エネルギーは、電子のラブと陽子のラブの公転軌道エネルギーより小さいです。
この事は、宇宙背景放射の軌道エネルギーは、公転軌道エネルギーではなく自転軌道エネルギーである、ということです。
よって、宇宙背景放射は、電子のラブと陽子のラブが公転できない時代にできた。
この時代は、ビッグバンの以前です。
宇宙背景放射は、ビッグバンの以前にできた物です。
４．宇宙背景放射はどのようにできたか。“ビッグバンの以前の陽子のラブの光子の自転軌道エネルギー”は何倍に成ったか。“ビッグバンの以前の電子のラブの光子の自転軌道エネルギー”は何倍に成ったか。
宇宙背景放射は自転軌道エネルギーであり、ビッグバンの以前にできた物です。
ビッグバンの以前存在した光子の自転軌道エネルギーは、“陽子のラブの光子”である、陽子のラブの光子の自転軌道エネルギー６．２７２４×１０−２８Ｊｍです。
ビッグバンの以前存在した光子の自転軌道エネルギーは、“電子のラブの光子”である、電子のラブの光子の自転軌道エネルギー３．４１６×１０−３１Ｊｍです。
それで、ビッグバンの以前存在した、これらの自転軌道エネルギーが、現在、宇宙背景放射になっている。
ビッグバンの以前存在した、“陽子のラブの光子”である、“陽子のラブの光子の自転軌道エネルギー６．２７２４×１０−２８Ｊｍ”が、現在、３．７６９×１０−２６Ｊｍ  の宇宙背景放射になっている。
ビッグバンの以前存在した、“電子のラブの光子”である、“電子のラブの光子の自転軌道エネルギー３．４１６×１０−３１Ｊｍ”が、現在、３．７６９×１０−２６Ｊｍ  の宇宙背景放射になっている。
・“陽子のラブの光子”である、“陽子のラブの光子の自転軌道エネルギー６．２７２４×１０−２８Ｊｍ”は、約１３７億年間で何倍になったか。
３．７６９×１０−２６Ｊｍ÷（６．２７２４×１０−２８Ｊｍ）＝６×１０
“陽子のラブの光子”である、“陽子のラブの光子の自転軌道エネルギー６．２７２４×１０−２８Ｊｍ”は、約１３７億年間で６０倍になった。
・“電子のラブの光子”である、“電子のラブの光子の自転軌道エネルギー３．４１６×１０−３１Ｊｍ”は、約１３７億年間で何倍になったか。
３．７６９×１０−２６Ｊｍ÷（３．４１６×１０−３１Ｊｍ）＝１．１×１０５
“電子のラブの光子”である、“電子のラブの光子の自転軌道エネルギー３．４１６×１０−３１Ｊｍ”は、約１３７億年間で１．１×１０５倍になった。
宇宙背景放射は、ビッグバンの以前、“陽子のラブの光子”である、“陽子のラブの光子の自転軌道エネルギー６．２７２４×１０−２８Ｊｍ”が、約１３７億年間で６０倍になった光子です。
宇宙背景放射は、ビッグバンの以前、“電子のラブの光子”である、“電子のラブの光子の自転軌道エネルギー３．４１６×１０−３１Ｊｍ”が、約１３７億年間で１．１×１０５倍になった光子です。
この事によって理解できること。
１．ビッグバンの以前、存在したのは自転する光子であり、宇宙背景放射はその自転軌道エネルギーが約１３７億年間で６０倍から１．１×１０５倍になった光子です。
２．宇宙背景放射は、ビッグバンの以前、“陽子のラブの光子”である、“陽子のラブの光子の自転軌道エネルギー６．２７２４×１０−２８Ｊｍ”が、約１３７億年間で６０倍になった“養子のラブの光子”です。
３．陽子のラブの光子＝“ビッグバンの以前の陽子のラブの粒子”
陽子のラブの光子の自転軌道エネルギー＝６．２７２４×１０−２８Ｊｍ＝“ビッグバンの以前の陽子のラブの粒子のエネルギー”×“ビッグバンの以前の陽子のラブの粒子の大きさ”
４．宇宙背景放射は、ビッグバンの以前、“電子のラブの光子”である、“電子のラブの光子の自転軌道エネルギー３．４１６×１０−３１Ｊｍ”が、約１３７億年間で１．１×１０５倍になった“電子のラブの光子”です。
５．電子のラブの光子＝“ビッグバンの以前の電子のラブの粒子”
電子のラブの光子の自転軌道エネルギー＝３．４１６×１０−３１Ｊｍ＝“ビッグバンの以前の電子のラブの粒子のエネルギー”×“ビッグバンの以前の電子のラブの粒子の大きさ”
６．よって、ビッグバンの以前に存在したた粒子は、光子です。
５．宇宙背景放射が語ることは何か。
▲１▼宇宙背景放射は、ビッグバンの以前に存在した“陽子のラブの光子”と“電子のラブの光子”のなごりです。
▲２▼宇宙背景放射の軌道は１０−３ｍです。宇宙背景放射のエネルギーは、３．７６９×１０−２３Ｊです。
・“ビッグバンの以前の陽子のラブの粒子の自転軌道”は何倍に成り、“ビッグバンの以前の陽子のラブの粒子のエネルギー”は何倍になったか。
“ビッグバンの以前の陽子のラブの粒子のエネルギー”が１Ｊであったとしたならば、“ビッグバンの以前の陽子のラブの粒子の自転軌道”は、６．２７２４×１０−２８ｍです。
この自転軌道が、１０−３ｍ÷（６．２７２４×１０−２８ｍ）＝１．５９４×１０２４倍に成った。
そして、“ビッグバンの以前の陽子のラブの粒子のエネルギー”は１Ｊから３．７６９×１０−２３Ｊになったので、エネルギーは、
３．７６９×１０−２３Ｊ÷１Ｊ＝３．７６９×１０−２３倍に成った。
自転軌道×エネルギーは、
１．５９４×１０２４×３．７６９×１０−２３＝６０倍に成った。
・“ビッグバンの以前の電子のラブの粒子の自転軌道”は何倍に成り、“ビッグバンの以前の電子のラブの粒子のエネルギー”は何倍になったか。
“ビッグバンの以前、陽子のラブの粒子のエネルギー”が１Ｊであったとしたならば、“ビッグバンの以前、電子のラブの粒子の自転軌道”は、６．２７２４×１０−２８ｍです。
この自転軌道は、１０−３ｍ÷（６．２７２４×１０−２８ｍ）＝１．５９４×１０２４倍に成った。
そして、“ビッグバンの以前、陽子のラブの粒子のエネルギー”が１Ｊであったとしたならば、“ビッグバンの以前、電子のラブの粒子のエネルギー”は５．４４６×１０−４Ｊです。５．４４６×１０−４Ｊから３．７６９×１０−２３Ｊになったので、エネルギーは、
３．７６９×１０−２３Ｊ÷（５．４４６×１０−４Ｊ）＝６．９２×１０−２０倍に成った。
自転軌道×エネルギーは、
１．５９４×１０２４×６．９２×１０−２０＝１．１×１０５倍に成った。
・現在、陽子のラブの自転軌道と、電子のラブの自転軌道は同じである。陽子のラブの自転軌道は、４．１８×１０−１８ｍです。電子のラブの自転軌道は、４．１８×１０−１８ｍです。
“ビッグバンの以前の陽子のラブの粒子の自転軌道”は何倍に拡大したか。
４．１８×１０−１８ｍ÷（６．２７２４×１０−２８ｍ）＝６．６６４×１０９倍に拡大した。
・“ビッグバンの以前の陽子のラブの粒子の自転軌道”と“ビッグバンの以前の電子のラブの粒子の自転軌道”は宇宙背景放射になり、１．５９４×１０２４倍に成った。“ビッグバンの以前の陽子のラブの粒子の自転軌道”は６．６６４×１０９倍に拡大した。
・宇宙背景放射が１．５９４×１０２４倍に成り、陽子のラブと電子のラブの自転軌道が６．６６４×１０９倍に拡大した理由は何か。
宇宙背景放射にはラブが存在しないので、引力が無い。それで、
１．５９４×１０２４÷（６．６６４×１０９）＝２．３９２×１０１４倍も大きくなった。
陽子のラブと電子のラブには、ラブがあるから拡大は小さい。
・上記の事から何が理解できるか。
▲１▼宇宙に存在する質量の大きさによって、宇宙の拡大速度が決定される。
▲２▼宇宙に存在する質量が大きいほど、宇宙の拡大速度は遅い。
▲３▼ビッグバンの以前に存在した、“ビッグバンの以前の陽子のラブの粒子”と“ビッグバンの以前の電子のラブの粒子”が多いほど、宇宙の拡大速度は遅い。
▲４▼現在存在する銀河の質量＋ダークマターの質量が大きいほど宇宙の拡大速度は遅い。
この事によって理解できること。
１．現在、陽子のラブの自転軌道と、電子のラブの自転軌道は、ビッグバンの以前の自転軌道の６．６６４×１０９倍に拡大した。
２．宇宙背景放射は、１．５９４×１０２４倍に拡大した。
３．宇宙背景放射は、１．５９４×１０２４倍に拡大したのに対し、、陽子のラブの自転軌道と、電子のラブの自転軌道は、ビッグバンの以前の自転軌道の６．６６４×１０９倍に拡大した理由は、その中に、陽子のラブと電子のラブが存在するからです。
４．陽子のラブと電子のラブの存在が、拡大を阻止している。このように考えると、宇宙の質量が宇宙の拡大を阻止していると考える理由が理解できる。
▲１▼宇宙に存在する質量の大きさによって、宇宙の拡大速度が決定される。
▲２▼宇宙に存在する質量が大きいほど、宇宙の拡大速度は遅い。
▲３▼ビッグバンの以前に存在した、“ビッグバンの以前の陽子のラブの粒子”と“ビッグバンの以前の電子のラブの粒子”が多いほど、宇宙の拡大速度は遅い。
▲４▼現在存在する銀河の質量＋ダークマターの質量が大きいほど宇宙の拡大速度は遅い。
６．ダークマターはどのように広がっているか。
ビッグバンで電子のラブと陽子のラブはできました。電子のラブと陽子のラブはダークマターになったものとクエーサーになったものがある。
ダークマターになったものはどのように広がったか。
空間が拡大するに従いダークマターの空間に占める密度は小さくなります。
例えば、電子のラブの公転軌道が、１０−１７ｍの場のダークマターの密度を１としますと。
１０−１６ｍの場のダークマターの密度は１０−３です。
１０−１５ｍの場のダークマターの密度は１０−６です。
１０−１４ｍの場のダークマターの密度は１０−９です。
また、エネルギーは、
例えば、電子のラブの公転軌道が、１０−１７ｍの場のダークマターのエネルギーを１としますと。
１０−１６ｍの場のダークマターのエネルギーは１０−１です。
１０−１５ｍの場のダークマターのエネルギーは１０−２です。
１０−１４ｍの場のダークマターのエネルギーは１０−３です。
それで、ダークマターの密度×エネルギーは、
例えば、電子のラブの公転軌道が、１０−１７ｍの場のダークマターの密度×エネルギーは１です。
１０−１６ｍの場のダークマターの密度×エネルギーは１０−４です。
１０−１５ｍの場のダークマターの密度×エネルギーは１０−８です。
１０−１４ｍの場のダークマターの密度×エネルギーは１０−１２です。
このように、ダークマターの密度とエネルギーは減少します。
この事から、銀河や星はダークマターが集まってできるので、時空が拡大するほどできにくくなることが理解できる。
次に、１０−１７ｍの時代のダークマターを１とする場合と、１０−１６ｍの時代のダークマターを１とした場合の様子を示す。
2009038962.tif 000003
2009038962.tif 000004
７．ボイドはどのようにできたか。
１０−１７ｍの時代、超ブラックホールの時代、超ブラックホールの素子が集まった。超ブラックホールの素子のエネルギーは大きく、密度は高いので、すばやく、多量に集まった。超ブラックホールの素子は中央に集まり、その周辺には超ブラックホールの素子は存在しない。この部分が拡大し、ボイドになった。
集まった中心からジェットが噴出した。
・このジェットの高さは、何Ｋｍか。
現在は１０−１４ｍの時代です。現在、銀河系の中心のジェットの高さは、９００光年です。
それで、１０−１５ｍの時代は９０００光年、１０−１６ｍの時代は９×１０４光年、１０−１７ｍの時代は９×１０５光年です。
１０−１７ｍの時代、ジェットの高さは、９×１０５光年＝９×１０５×９．４６×１０１２Ｋｍ＝８．５１４×１０１８Ｋｍです。
半径８．５１４×１０１８Ｋｍの球体にジェットは届いた。
１０−１６ｍの時代、この球体の表面にブラックホールの素子は集まった。
集まって、クエーサーを作った。
現在、ボイドになっているのは、超ブラックホールの素子は中央に集まり、その周辺には超ブラックホールの素子が存在しない所です。
現在、この球体の空間は、半径はいくらか。
１０−１７ｍの時代、半径８．５１４×１０１８Ｋｍです。
１０−１６ｍの時代、半径８．５１４×１０１９Ｋｍです。
１０−１５ｍの時代、半径８．５１４×１０２０Ｋｍです。
１０−１４ｍの時代、半径８．５１４×１０２１Ｋｍです。
よって、現在、ボイドは半径８．５１４×１０２１Ｋｍです。
８．銀河系の中の球状星団はどのようにできたか。
球状星団の様子から理解できること。
▲１▼球状星団は約１００億歳の年老いた星が多い。これは１０−１６ｍの時代にできたからです。
▲２▼球状星団は太陽より軽い星が多い。これはダークマターの密度が小さい場でできたからです。
▲３▼球状星団は銀河の円盤や腕の中の一員になれなかった。これは銀河の中心から遠く離れたところにできたから。これは円盤ができた後にできたから。
▲４▼球状星団は銀河中心の周りにほぼ球対称に分布する。これはジェットのあたる部分にできたからです。
▲１▼▲２▼▲３▼▲４▼を考慮し、球状星団の生成を次のように考える。
１０−１６ｍの時代、ジェットの高さはいくらか。
現在、銀河系の中心からジェットが噴出し、その高さは約９００光年です。
それで、１０−１４ｍの時代、ジェットの高さは９００光年、
１０−１５ｍの時代、ジェットの高さは９０００光年、
１０−１６ｍの時代、ジェットの高さは９００００光年です。
よって、球状星団は次のようにできた。
ａ．１０−１６ｍの時代、クエーサーの中央のブラックホールから噴出するジェットにより、ダークマターは活性化し、ダークマターが集められ、円盤の基である降着円盤ができた。
ｂ．ダークマターの密度が小さくなった部分に、ジェットが当たり、ダークマターを活性化し、ダークマターが集まり、小さな星ができた。
高さ９００００光年のジェットが当たって、半径５万光年の銀河系の外側の軌道に存在する小さな星ができた。
ジェットの高さの途中にある密度の小さいダークマターを活性化し、小さな星を作った。
ｃ．小さな星が集まり、球状星団ができた。
ｄ．球状星団は、クエーサーの中心のブラックホールに引かれた。クエーサーの中心に近い球状星団ほど強く引かれた。
９．地磁気はどのようにできるのか。
私は、２００７年１１月１９日に提出した、特願２００７−３２５２６３、の「請求項２２」で、
（・磁気帯の軌道の距離はどのように求められるか。
地磁気は地球の半径の１０倍の軌道まで届く。
温度×Ｋ＝磁気帯の軌道の距離
７３２７．３６（℃）×ｘ＝地球の半径×１０＝６．３７８×１０４Ｋｍ
ｘ＝６．３７８×１０４Ｋｍ÷７３２７．３６（℃）＝８．７Ｋｍ
よって、
磁気帯の軌道の距離＝温度×８．７Ｋｍ＝Ａ２×８．７Ｋｍ
磁気帯の軌道の距離は、温度×８．７Ｋｍ＝Ａ２×８．７Ｋｍ  の式で求められる。）と記した。
２００８年２月２日に提出した、特願２００８−５１２１８の「請求項１２」に、
（地球の核やマントルや地殻から１秒間に出る磁気の光子のエネルギーはいくらか。
地球の核でできた電気の光子は熱となり、磁気の光子は１個１個に分離し、地球を出る。
地球を出る軌道は遠赤外線より大きいです。地表から出る軌道と同じ軌道の磁気の光子が出る。
地球の核から出る磁気の光子のエネルギー＝１原子で１秒間にできる引力となる磁気の光子のエネルギー×核の原子数＝１．３６１×１０−３２Ｊ×６×１０２６個×核の質量Ｋｇ＝１．３６１×１０−３２Ｊ×６×１０２６個×１．８７６×１０２４Ｋｇ＝４．０６３×１０２１Ｊ
地球の核から１秒間に出る磁気の光子のエネルギーは、４．０６３×１０２１Ｊです。これが地磁気になる。
地球の核でできる地磁気は１０Ｒの磁気帯です。
地球のマントルから出る磁気の光子のエネルギー＝１原子で１秒間にできる引力となる磁気の光子のエネルギー×マントルの原子数＝１．３６１×１０−３２Ｊ×６×１０２６個×マントルの質量Ｋｇ＝１．３６１×１０−３２Ｊ×６×１０２６個×４．０５６×１０２４Ｋｇ＝３．３１２×１０１９Ｊ
地球のマントルから１秒間に出る磁気の光子のエネルギーは、３．３１２×１０１９Ｊです。これがバン・アレン帯の外帯の磁気になる。
地球の地殻から出る磁気の光子のエネルギー＝１原子で１秒間にできる引力となる磁気の光子のエネルギー×地殻の原子数＝１．３６１×１０−３２Ｊ×６×１０２６個×地殻の質量Ｋｇ＝１．３６１×１０−３２Ｊ×６×１０２６個×０．０４３×１０２４Ｋｇ＝３．５１１×１０１７Ｊ
地球の地殻から１秒間に出る磁気の光子のエネルギーは、３．５１１×１０１７Ｊです。これがバン・アレン帯の内帯の磁気になる。）と記した。
私は、ここで計算間違いをしましたので、訂正します。
地球の核から出る磁気の光子のエネルギー＝１原子で１秒間にできる引力となる磁気の光子のエネルギー×核の原子数＝１．３６１×１０−３２Ｊ×６×１０２６個×核の質量Ｋｇ＝１．３６１×１０−３２Ｊ×６×１０２６個×１．８７６×１０２４Ｋｇ＝１．５３２×１０１９Ｊ
地球の核から１秒間に出る磁気の光子のエネルギーは、１．５３２×１０１９Ｊです。これが地磁気になる。
・ここで、私は、地球のマントルから出る磁気の光子のエネルギー＝１原子で１秒間にできる引力となる磁気の光子のエネルギー×マントルの原子数、としました。
でも、厳密には、磁気の光子や電気の光子を出すのは、原子の数ではありません。元素の数でもありません。最外殻の電子のラブです。対にならない電子のラブです。
この数はいくらなのか解りませんので、とりあえず、その場の原子の数にしました。
・バン・アレン内帯、バン・アレン外帯、１０Ｒの磁気帯において、エネルギーの比はいくらか。
バン・アレン内帯に、１秒間に出る磁気の光子のエネルギー、バン・アレン外帯に、１秒間に出る磁気の光子のエネルギー、１０Ｒの磁気帯に、１秒間に出る磁気の光子のエネルギー＝３．５１１×１０１７Ｊ：３．３１２×１０１９Ｊ：１．５３２×１０１９Ｊ＝３．５：３．３×１０２：１．５×１０２
・磁気体を球体とみなし、球の表面積に磁気の光子が広がるとし、１秒間に出る磁気の光子のエネルギー÷磁気帯の球の表面積、の比はいくらか。
バン・アレン内帯の直径を４０００Ｋｍ、バン・アレン外帯の直径を２００００Ｋｍ、１０Ｒの磁気帯の直径を６．３７８×１０４Ｋｍとする。
球の表面積の比は、
バン・アレン内帯の球の表面積：バン・アレン外帯の球の表面積：１０Ｒの地磁気表面積＝４π（４０００Ｋｍ÷２）２：４π（２００００Ｋｍ÷２）２：４π（６．３７８×１０４Ｋｍ÷２）２＝４：１０２：１０３です。
バン・アレン内帯に１秒間に出る磁気の光子のエネルギー÷磁気帯の球の表面積：バン・アレン外帯に１秒間に出る磁気の光子のエネルギー÷磁気帯の球の表面積：１０Ｒの磁気帯に１秒間に出る磁気の光子のエネルギー÷磁気帯の球の表面積＝３．５１１×１０１７Ｊ÷４π（４０００Ｋｍ÷２）２：３．３１２×１０１９Ｊ÷４π（２００００Ｋｍ÷２）２：１．５３２×１０１９Ｊ÷４π（６．３７８×１０４Ｋｍ÷２）２＝３．５÷４：３．３×１０２÷１０２：１．５×１０２÷１０３＝０．８７５：３．３：０．１５＝８．７５：３３：１．５＝５．８：２２：１
これは、球体の表面積に対する、放出する磁気の光子の密度です。
・磁気体を球体とみなし、球の体積に磁気の光子が広がるとし、１秒間に出る磁気の光子のエネルギー÷磁気体の球の体積、の比はいくらか。
球の体積の比は、
バン・アレン内帯の球の体積：バン・アレン外帯の球の体積：１０Ｒの地磁気の体積＝４π÷３×（４０００Ｋｍ÷２）３：４π÷３×（２００００Ｋｍ÷２）３：４π÷３×（６．３７８×１０４Ｋｍ÷２）３＝８：１０３：３．３×１０４です。
バン・アレン内帯に１秒間に出る磁気の光子のエネルギー÷磁気帯の球の体積：バン・アレン外帯に１秒間に出る磁気の光子のエネルギー÷磁気帯の球の体積：１０Ｒの磁気帯に１秒間に出る磁気の光子のエネルギー÷磁気帯の球の体積＝３．５÷８：３．３×１０２÷１０３：１．５×１０２÷（３．３×１０４）＝４．３：３．３：４．５×１０−２
これは、球体の体積全体に対する放出する、磁気の光子のエネルギー密度です。
・ところが、実際、磁気体は球の体積全体には均等になっておらず、ある部分に集中しています。磁気が集中している球の体積に、磁気の光子が広がるとし、１秒間に出る磁気の光子のエネルギー÷磁気が集中している球の体積、の比はいくらか。
バン・アレン内帯の磁気帯は球体の１／４に集中している。
バン・アレン外帯の磁気帯は球体の１／４に集中している。
１０Ｒの磁気帯は球体の１／１０に集中している。としますと、
磁気が集中している体積の比は、
バン・アレン内帯：バン・アレン外帯：１０Ｒの磁気帯＝８×１／４：１０３×１／４：３．３×１０４×１／１０＝１：１．２５×１０２：１．６５×１０３です。
バン・アレン内帯に１秒間に出る磁気の光子のエネルギー÷磁気帯の球の体積の１／４：バン・アレン外帯に１秒間に出る磁気の光子のエネルギー÷磁気帯の球の体積の１／４：１０Ｒの磁気帯に１秒間に出る磁気の光子のエネルギー÷磁気帯の球の体積の１／１０＝３．５÷１：３．３×１０２÷（１．２５×１０２）：１．５×１０２÷（１．６５×１０３）＝３．５：２．６４：０．０９
これは、磁気が集中している体積に対する、放出する磁気の光子のエネルギー密度です。
１０．太陽のフレアーを防ぐ１０Ｒの磁気帯はどのようになっているのか。
バン・アレン内帯に１秒間に出る磁気の光子のエネルギー÷磁気帯の球の体積の１／４：バン・アレン外帯に１秒間に出る磁気の光子のエネルギー÷磁気帯の球の体積の１／４：１０Ｒの磁気帯に１秒間に出る磁気の光子のエネルギー÷磁気帯の球の体積の１／１０＝３．５÷１：３．３×１０２÷（１．２５×１０２）：１．５×１０２÷（１．６５×１０３）＝３．５：２．６４：０．０９
１０Ｒの地磁気の密度は、バン・アレン内帯とバン・アレン外帯の磁気の光子のエネルギー密度より小さい。それなのに、どうして、太陽風を防ぐことができるのか。
▲１▼太陽からやってくる高エネルギーの磁気の光子と電気の光子は、１０Ｒの地磁気に付加する。この事によって、１０Ｒの地磁気は高エネルギーになり、量も多くなる。
また、▲２▼太陽からやってくる高エネルギーの陽子のラブと電子のラブは、１０Ｒの地磁気に巻きついて自転し公転する。この事によって、更に、電気の光子と磁気の光子はでき、増加する。
このように、１０Ｒの地磁気は、地球の核が作った磁気の光子だけではなく、太陽からやってきた高エネルギーの磁気の光子や電気の光子がプラスされる。
太陽からやってきた高エネルギーの陽子のラブや電子のラブが地磁気に巻きつき、自転し公転することによってできた、電気の光子や磁気の光子もプラスされるので、大きなエネルギーの電磁気帯になっている。それで、太陽風を防ぐことができる。
１１．バン・アレン内帯とバン・アレン外帯の磁気エネルギーが大きくなっているのはどうしてか。
バン・アレン内帯には、太陽からやってきた高エネルギーの陽子のラブが巻きつき、自転し、公転しているので、高エネルギーの磁気の光子と電気の光子ができる。これがバン・アレン内帯の磁気の光子と電気の光子のエネルギーとなっている。それで、バン・アレン内帯のエネルギーは大きい。
バン・アレン外帯には、太陽からやってきた高エネルギーの電子のラブが巻きつき、自転し、公転しているので、高エネルギーの磁気の光子と電気の光子ができる。これがバン・アレン外帯の磁気の光子と電気の光子のエネルギーとなっている。それで、バン・アレン外帯のエネルギーは大きい。
１２．バン・アレン内帯とバン・アレン外帯の電磁気のエネルギーがほぼ等しいのはどうしてか。
バン・アレン内帯に１秒間に出る磁気の光子のエネルギー÷磁気帯の球の体積の１／４：バン・アレン外帯に１秒間に出る磁気の光子のエネルギー÷磁気帯の球の体積の１／４：１０Ｒの磁気帯に１秒間に出る磁気の光子のエネルギー÷磁気帯の球の体積の１／１０＝３．５÷１：３．３×１０２÷（１．２５×１０２）：１．５×１０２÷（１．６５×１０３）＝３．５：２．６４：０．０９
磁気が集中している体積に対する放出する磁気の光子のエネルギー密度の比は、バン・アレン内帯：バン・アレン外帯＝３．５：２．６４でほぼ等しい。
陽子のラブが１秒間に作る電気の光子のエネルギーと磁気の光子のエネルギーは、電子のラブが１秒間に作る電気の光子のエネルギーと磁気の光子のエネルギーに等しい。
それで、バン・アレン内帯の電磁気のエネルギーとバン・アレン外帯の電磁気のエネルギーはほぼ等しい。
まとめ。
2009038962.tif 000005
１３．強磁性物質にはキューリ温度というものがあって、その温度では磁性を失う。キューリ温度は普通数百度です。それなのに、地球の核で１０Ｒの磁気帯ができ、マントルでバン・アレン外帯ができる。磁気帯ができる理由は何か。
私は、地磁気を作っているのは、強磁性物質ではないと考えます。
地磁気を作っているのは、全ての元素の最外殻の電子のラブであり、陽子のラブです。
それは、２本の銅線を同じ方向に走る自由電子が引く力を作ることによって証明できる。
電子のラブは、自転し磁気の光子を作り、公転し電気の光子を作る。
陽子のラブは、自転し磁気の光子を作り、公転し電気の光子を作る。
これが、地磁気ができる理由です。
現在、地磁気ができる理由は、ダイナモ説が有力ですが、私は、“素粒子回転説”をとなえます。
“素粒子回転説”とは次の理論です。
地球中、星の中、銀河の中で、
電子のラブは、自転し磁気の光子を作り、公転し電気の光子を作る。
陽子のラブは、自転し磁気の光子を作り、公転し電気の光子を作る。
電気の光子は熱になる。磁気の光子は地球を出て磁気帯になる。
電気の光子は温度に成る。
その時、電気の光子の輪が切れて熱になる。
磁気の光子は独立し、地球を出る。
その場のエネルギーは、温度で、Ａ２になっている。
Ａはその場のエネルギーが地表のエネルギーの何倍であるかを示す。
それで、磁気の届く距離＝Ａ２×８．７Ｋｍである。
１４．磁気の届く距離＝Ａ２×８．７Ｋｍであるのはなぜか。
磁気の光子が地球を出る場のエネルギーは、温度＝Ａ２になっている。
この熱を作った電気の光子のエネルギーと同じ磁気の光子のエネルギーが地球を出る。
それで、磁気の光子が届く距離は、出発する場の熱エネルギーに比例し、Ａ２×８．７Ｋｍです。
１５．太陽からやってくる電子のラブや陽子のラブは、磁気帯に巻きつき、螺旋状に回転する。この事によって、磁気の光子ができるのか。螺旋状に回転する事によって、どのようなメリットをもたらしているか。
電子のラブが１秒間に作る磁気の光子のエネルギーと電気の光子のエネルギーは一定です。
陽子のラブが１秒間に作る磁気の光子のエネルギーと電気の光子のエネルギーは一定です。
螺旋状に進んでも、まっすぐ進んでも、１秒間に作る磁気の光子のエネルギーと電気の光子のエネルギーは一定です。
よって、太陽からやってくる電子のラブや陽子のラブは、磁気帯に巻きつき、螺旋状に回転する。この事によって、磁気の光子ができるのではない。
地上で、コイルの中を自由電子が走り、外側に磁気の光子ができるのは、コイルの中に電気の光子ができ、電流として走り、それが外に出ないだけで、自由電子が１秒間に作る磁気の光子と電気の光子はどのような形の運動をしても一定です。
電子のラブと陽子のラブが螺旋状に回転する事によって、磁気の光子は磁気帯と平行に進む事ができ、電気の光子は螺旋状に走る。
電子のラブと陽子のラブが螺旋状に回転するのは、磁気の光子を磁気帯と平行に走らせるためです。
磁気帯があるので、磁気帯が電子のラブと陽子のラブを螺旋回転させている。
これを、“磁気帯が電子のラブと陽子のラブを螺旋回転させている”と名づける。
略して、“磁気帯が作る螺旋回転効果”と名づける。
磁気帯は磁気の光子を増加させるために、電子のラブと陽子のラブを螺旋回転させる。
これを応用し、磁気体で、電子のラブや陽子のラブを螺旋回転させる装置を作る事ができる。
【発明の効果】
【０００６】次のことが理解できた。
１．▲１▼光子は粒子です。それで、
陽子のラブの光子＝“ビッグバンの以前の陽子のラブの粒子”
電子のラブの光子＝“ビッグバンの以前の電子のラブの粒子
▲２▼陽子のラブの光子≠“ビッグバンの以前の陽子のラブの粒子”
電子のラブの光子≠“ビッグバンの以前の電子のラブの粒子”
▲１▼と▲２▼どちらが正しいか。
２．電子のラブと陽子のラブの公転軌道エネルギーは、８．６６５×１０ー２４Ｊｍです。
宇宙背景放射の軌道エネルギーは、３．７６９×１０ー２６Ｊｍ  です。
宇宙背景放射の軌道エネルギーは、電子のラブと陽子のラブの公転軌道エネルギーより小さいです。
この事は、宇宙背景放射の軌道エネルギーは、公転軌道エネルギーではなく自転軌道エネルギーである、ということです。
宇宙背景放射は、ビッグバンの以前にできた光子です。
３．陽子のラブの光子＝“ビッグバンの以前の陽子のラブの粒子”
電子のラブの光子＝“ビッグバンの以前の電子のラブの粒子”
陽子のラブの光子＝陽子のラブの光子の自転軌道エネルギー＝６．２７２４×１０ー２８Ｊｍ＝“ビッグバンの以前の陽子のラブの粒子のエネルギー”×“ビッグバンの以前の陽子のラブの粒子の大きさ”
電子のラブの光子＝電子のラブの光子の自転軌道エネルギー＝３．４１６×１０ー３１Ｊｍ＝“ビッグバンの以前の電子のラブの粒子のエネルギー”×“ビッグバンの以前の電子のラブの粒子の大きさ”
４．宇宙背景放射は、ビッグバンの以前、“陽子のラブの光子”である、“陽子のラブの光子の自転軌道エネルギー６．２７２４×１０−２８Ｊｍ”が、約１３７億年間で６０倍になった光子です。
宇宙背景放射は、ビッグバンの以前、“電子のラブの光子”である、“電子のラブの光子の自転軌道エネルギー３．４１６×１０−３１Ｊｍ”が、約１３７億年間で１．１×１０５倍になった光子です。
５．背景放射になり、“ビッグバンの以前の陽子のラブの粒子の自転軌道”と“ビッグバンの以前の陽子のラブの粒子のエネルギー”は何倍になったか。
“ビッグバンの以前の陽子のラブの粒子のエネルギー”が１Ｊであったとしたならば、“ビッグバンの以前の陽子のラブの粒子の自転軌道”は、６．２７２４×１０−２８ｍです。
この自転軌道が、１０−３ｍ÷（６．２７２４×１０−２８ｍ）＝１．５９４×１０２４倍に成った。
そして、“ビッグバンの以前、陽子のラブの粒子のエネルギー”は１Ｊから３．７６９×１０−２３Ｊになったので、
３．７６９×１０−２３Ｊ÷１Ｊ＝３．７６９×１０−２３倍に成った。
自転軌道×エネルギーは、
１．５９４×１０２４×３．７６９×１０−２３＝６０倍に成った。
背景放射になり、“ビッグバンの以前の電子のラブの粒子の自転軌道”と“ビッグバンの以前の電子のラブの粒子のエネルギー”は何倍になったか。
“ビッグバンの以前の陽子のラブの粒子のエネルギー”が１Ｊであったとしたならば、“ビッグバンの以前の電子のラブの粒子の自転軌道”は、６．２７２４×１０−２８ｍです。
この自転軌道が、１０−３ｍ÷（６．２７２４×１０−２８ｍ）＝１．５９４×１０２４倍に成った。
そして、“ビッグバンの以前の陽子のラブの粒子のエネルギー”が１Ｊであったとしたならば、“ビッグバンの以前の電子のラブの粒子のエネルギー”は５．４４６×１０−４Ｊです。５．４４６×１０−４Ｊから３．７６９×１０−２３Ｊになったので、
３．７６９×１０−２３Ｊ÷（５．４４６×１０−４Ｊ）＝６．９２×１０−２０倍に成った。
自転軌道×エネルギーは、
１．５９４×１０２４×６．９２×１０−２０＝１．１×１０５倍に成った。
６．現在、陽子のラブの自転軌道と、電子のラブの自転軌道は、ビッグバンの以前の自転軌道の６．６６４×１０９倍に拡大した。
７．宇宙背景放射は、ビッグバンの以前の自転軌道の１．５９４×１０２４倍に拡大したのに対し、陽子のラブの自転軌道と、電子のラブの自転軌道は、ビッグバンの以前の自転軌道の６．６６４×１０９倍に拡大した理由は、その中に、陽子のラブと電子のラブが存在するからです。
８．陽子のラブと電子のラブの存在が、拡大を阻止している。このように考えると、宇宙の質量が宇宙の拡大を阻止していると考える理由が理解できる。
▲１▼宇宙に存在する質量の大きさによって、宇宙の拡大速度が決定される。
▲２▼宇宙に存在する質量が大きいほど、宇宙の拡大速度は遅い。
▲３▼ビッグバンの以前に存在した、“ビッグバンの以前の陽子のラブの粒子”と“ビッグバンの以前の電子のラブの粒子”が多いほど、宇宙の拡大速度は遅い。
▲４▼現在存在する銀河の質量＋ダークマターの質量が大きいほど宇宙の拡大速度は遅い。
９．ダークマターは表のように存在している。
次に、１０ー１７ｍの時代のダークマターを１とする場合と、１０ー１６ｍの時代のダークマターを１とした場合の様子を示す。
2009038962.tif 000006
１０．ボイドは次のようにできた。
１０−１７ｍの時代、ダークマターの密度×エネルギーは大きいので、この部分のダークマターはすばやく、多量に集まり、周囲には存在しない。この空間がボイドになった。
１０−１７ｍの時代、ジェットの高さは、９×１０５光年＝９×１０５×９．４６×１０１２Ｋｍ＝８．５１４×１０１８Ｋｍです。
半径８．５１４×１０１８Ｋｍの球体にジェットは届いた。
１０−１６ｍの時代、この球体の表面にブラックホールの素子は集まった。
集まって、クエーサーを作った。
現在、この球体の空間は１０３倍に拡大したので、、半径８．５１４×１０１８Ｋｍ×１０３＝８．５１４×１０２１Ｋｍです。
１１．球状星団は次のようにできた。
ａ．１０−１６ｍの時代、クエーサーの中央のブラックホールから噴出するジェットにより、ダークマターは活性化し、ダークマターが集められ、円盤の基である降着円盤ができた。
ｂ．ダークマターの密度が小さくなった部分に、ジェットが当たり、ダークマターを活性化し、ダークマターが集まり、小さな星ができた。
高さ９００００光年のジェットが当たって、半径５万光年の銀河系の外側の軌道に存在する小さな星ができた。
ジェットの高さの途中にある密度の小さいダークマターを活性化し、小さな星を作った。
ｃ．小さな星が集まり、球状星団ができた。
ｄ．球状星団は、クエーサーの中心のブラックホールに引かれた。クエーサーの中心に近い球状星団ほど強く引かれた。
１２．磁気帯について表のように理解した。
2009038962.tif 000007
１３．“素粒子回転説”とは次の理論です。
地球中、星の中、銀河の中で、
電子のラブは、自転し磁気の光子を作り、公転し電気の光子を作る。
陽子のラブは、自転し磁気の光子を作り、公転し電気の光子を作る。
電気の光子は熱になる。磁気の光子は地球を出て磁気帯になる。
電気の光子は温度に成る。
その時、電気の光子の輪が切れて熱になる。
磁気の光子は独立し、地球を出る。
その場のエネルギーは、温度で、Ａ２になっている。
Ａは地表のエネルギーの何倍であるかを示す。
それで、磁気の届く距離＝Ａ２×８．７Ｋｍである。
１４．磁気帯において、電子のラブと陽子のラブが螺旋状に回転するのは、磁気の光子を磁気帯と平行に走らせるためです。
磁気帯があるので、磁気帯が電子のラブと陽子のラブを螺旋回転させている。
これを、“磁気帯が電子のラブと陽子のラブを螺旋回転させている”と名づける。
略して、“磁気帯が作る螺旋回転効果”と名づける。
磁気帯は磁気の光子を増加させるために、電子のラブと陽子のラブを螺旋回転させる。
これを応用し、磁気体で、電子のラブや陽子のラブを螺旋回転させる装置を作る事ができる。
【図面の簡単な説明】
【０００７】
【図１】電子のラブと陽子のラブの公転軌道エネルギーは、８．６６５×１０−２４Ｊｍです。宇宙背景放射の軌道エネルギーは、３．７６９×１０ー２６Ｊｍ  です。宇宙背景放射の軌道エネルギーは自転軌道エネルギーです。
【図２】ビッグバンの以前、“ビッグバンの以前の陽子のラブの粒子”は陽子のラブの光子です。“ビッグバンの以前の電子のラブの粒子”は電子のラブの光子です。陽子のラブの光子＝陽子のラブの光子の自転軌道エネルギー＝６．２７２４×１０−２８Ｊｍ＝“ビッグバンの以前の陽子のラブの粒子のエネルギー”×“ビッグバンの以前の陽子のラブの粒子の大きさ”電子のラブの光子＝電子のラブの光子の自転軌道エネルギー＝３．４１６×１０ー３１Ｊｍ＝“ビッグバンの以前の電子のラブの粒子のエネルギー”×“ビッグバンの以前の電子のラブの粒子の大きさ”
【図３】“ビッグバンの以前の陽子のラブの粒子のエネルギー”が１Ｊであったとしたならば、“ビッグバンの以前の陽子のラブの粒子の自転軌道”は、６．２７２４×１０−２８ｍです。この自転軌道が、１０−３ｍ÷（６．２７２４×１０−２８ｍ）＝１．５９４×１０２４倍に成った。そして、“ビッグバンの以前の陽子のラブの粒子のエネルギー”は１Ｊから３．７６９×１０−２３Ｊになったので、３．７６９×１０−２３Ｊ÷１Ｊ＝３．７６９×１０−２３倍に成った。自転軌道×エネルギーは、１．５９４×１０２４×３．７６９×１０−２３＝６０倍に成った。“ビッグバンの以前の陽子のラブの粒子のエネルギー”が１Ｊであったとしたならば、“ビッグバンの以前、電子のラブの粒子の自転軌道”は、６．２７２４×１０−２８ｍです。この自転軌道が、１０−３ｍ÷（６．２７２４×１０−２８ｍ）＝１．５９４×１０２４倍に成った。そして、“ビッグバンの以前の陽子のラブの粒子のエネルギー”が１Ｊであったとしたならば、“ビッグバンの以前の電子のラブの粒子のエネルギー”は５．４４６×１０−４Ｊです。５．４４６×１０−４Ｊから３．７６９×１０−２３Ｊになったので、３．７６９×１０−２３Ｊ÷（５．４４６×１０−４Ｊ）＝６．９２×１０−２０倍に成った。自転軌道×エネルギーは、１．５９４×１０２４×６．９２×１０−２０＝１．１×１０５倍に成った。
【図４】宇宙背景放射は、ビッグバンの以前の自転軌道の１．５９４×１０２４倍に拡大したのに対し、陽子のラブの自転軌道と、電子のラブの自転軌道は、ビッグバンの以前の自転軌道の６．６６４×１０９倍に拡大した理由は、その中に、陽子のラブと電子のラブが存在するからです。
【図５】ボイドは次のようにできた。１０−１７ｍの時代、超ブラックホールの時代、超ブラックホールの素子が集まった。自転する電子のラブと陽子のラブは密度が大きく、エネルギーが大きいので、すぐ集まった。超ブラックホールの素子は中央に集まり、その周辺には超ブラックホールの素子は存在しない。この部分が拡大しボイドになった。１０−１７ｍの時代、ジェットの高さは、９×１０５光年＝９×１０５×９．４６×１０１２Ｋｍ＝８．５１４×１０１８Ｋｍです。半径８．５１４×１０１８Ｋｍの球体にジェットは届いた。１０−１６ｍの時代、この球体の表面にブラックホールの素子は集まった。集まって、クエーサーを作った。１０−１７ｍの時代、半径８．５１４×１０１８Ｋｍの球体にできた空の球体は拡大し、１０３倍となり、半径８．５１４×１０１８Ｋｍ×１０３＝半径８．５１４×１０２１Ｋｍになっている。
【図６】球状星団は次のようにできた。ａ．１０ー１６ｍの時代、クエーサーの中央のブラックホールから噴出するジェットにより、ダークマターは活性化し、ダークマターが集められ、円盤の基である降着円盤ができた。ｂ．ダークマターの密度が小さくなった部分に、ジェットが当たり、ダークマターを活性化し、ダークマターが集まり、小さな星ができた。高さ９００００光年のジェットが当たって、半径５万光年の銀河系の外側の軌道に存在する小さな星ができた。ジェットの高さの途中にある密度の小さいダークマターを活性化し、小さな星を作った。ｃ．小さな星が集まり、球状星団ができた。ｄ．球状星団は、クエーサーの中心のブラックホールに引かれた。クエーサーの中心に近い球状星団ほど強く引かれた。
【図７】磁気帯において、電子のラブと陽子のラブが螺旋状に回転するのは、磁気の光子を磁気帯と平行に走らせるためです。磁気帯があるので、磁気帯が電子のラブと陽子のラブを螺旋回転させている。これを、“磁気帯が電子のラブと陽子のラブを螺旋回転させている”と名づける。略して、“磁気帯が作る螺旋回転効果”と名づける。磁気帯は磁気の光子を増加させるために、電子のラブと陽子のラブを螺旋回転させる。これを応用し、磁気体で、電子のラブや陽子のラブを螺旋回転させる装置を作る事ができる。
【符号の説明】
【０００８】１  電子のラブ
２  陽子のラブ
３  公転エネルギーは８．６６５×１０−２４Ｊｍ
４  “ビッグバンの以前の陽子のラブの粒子”＝陽子のラブの光子
５  “ビッグバンの以前の電子のラブの粒子”＝電子のラブの光子
６  陽子のラブの光子の自転軌道エネルギー＝６．２７２４×１０−２８Ｊｍ
７  電子のラブの光子の自転軌道エネルギー＝３．４１６×１０−３１Ｊｍ
８  陽子のラブの光子のエネルギーを１Ｊとすると、自転軌道は６．２７２４×１０−２８ｍ
９  陽子のラブの光子のエネルギーを１Ｊとすると、電子のラブの光子のエネルギーは５．４４６×１０−４Ｊです。自転軌道は６．２７２４×１０−２８ｍ
１０  宇宙背景放射、自転軌道は１０−３ｍ、エネルギーは３．７６９×１０−２３Ｊ
１１  現在の地表の陽子のラブ、自転軌道は４．１８×１０−１８ｍ
１２  現在の地表の電子のラブ、自転軌道は４．１８×１０−１８ｍ
１３  １０−１７ｍの時代の高エネルギー高密度のダークマター（超ブラックホールの素子）
１４  中央の超ブラックホール
１５  ダークマターが無くなった部分、この部分がボイドになった。
１６  ８．５１４×１０１８Ｋｍの半径に噴出したジェット
１７  クエーサー
１８  ボイドの部分は、１０−１７ｍの時代、１０−１６ｍの時代、１０−１５ｍの時代、１０−１４ｍの時代と拡大し、現在、８．５１４×１０２１Ｋｍになっている。
１９  １０−１６ｍのダークマター（ブラックホールの素子）
２０  中央のブラックホール
２１  ジェット
２２  降着円盤
２３  ダークマターの密度の低い部分
２４  小さい星
２５  球状星団
２６  磁気体
２７  電子のラブと陽子のラブの螺旋回転
【図１】
2009038962.tif 000011
【図２】
2009038962.tif 000012
【図３】
2009038962.tif 000013
【図４】
2009038962.tif 000014
【図５】
2009038962.tif 000015
【図６】
2009038962.tif 000016
【図７】
2009038962.tif 000017